(57)【特許請求の範囲】
【請求項１】
商品を識別する表示商品コードと、商品の価格である表示価格とを、読み取り可能な形態で付属して記録している商品の売上を管理するＰＯＳシステムであって、以下の要素を有することを特徴とするＰＯＳシステム
（１）商品に付属して記録されている表示商品コードを読み取る表示商品コード読み取り部、
（２）商品に付属して記録されている表示価格を読み取る表示価格読み取り部、
（３）予め設定されている商品コードであるＰＬＵ商品コードと、予め設定されている価格であるＰＬＵ価格とを関連付けて、複数記憶するＰＬＵマスタ記憶部、
（４）読み取った表示商品コードと一致するＰＬＵ商品コードを、ＰＬＵマスタ記憶部から検索する商品コード検索部、
（５）表示する価格の切換指示を入力する切換指示入力部、
（６）表示価格と、商品コード検索部により検索したＰＬＵ商品コードと対応付けてＰＬＵマスタ記憶部に記憶されているＰＬＵ価格のうちいずれかの価格を表示し、更に、切換指示が入力された場合に、表示価格とＰＬＵ価格とを切り換えて表示する表示部。
【請求項２】
ＰＬＵマスタ記憶部は、更に、ＰＬＵ価格と対応付けて、予め設定されている商品名であるＰＬＵ商品名を記憶し、
表示部は、ＰＬＵ価格を表示する場合に、ＰＬＵ価格と対応付けてＰＬＵマスタ記憶部に記憶されているＰＬＵ商品名を併せて表示することを特徴とする請求項１記載のＰＯＳシステム。
【請求項３】
ＰＯＳシステムは、更に、表示部により表示されている価格を用いることを決定する指示を入力する決定指示入力部を有することを特徴とする請求項１記載のＰＯＳシステム。
【請求項４】
ＰＯＳシステムは、更に、表示価格とＰＬＵ価格のうち、決定指示入力部により入力された指示により、用いることを決定した価格を売上データとして記憶する売上データ記憶部を有することを特徴とする請求項３記載のＰＯＳシステム。
【請求項５】
商品を識別する表示商品コードと、商品の価格である表示価格とを、読み取り可能な形態で付属して記録している商品の売上を管理し、予め設定されている商品コードであるＰＬＵ商品コードと、予め設定されている価格であるＰＬＵ価格とを関連付けて、複数記憶するＰＬＵマスタ記憶部を有するＰＯＳシステムの管理方法であって、以下の要素を有することを特徴とするＰＯＳシステム管理方法
（１）商品に付属して記録されている表示商品コードを読み取る表示商品コード読み取り工程、
（２）商品に付属して記録されている表示価格を読み取る表示価格読み取り工程、
（３）読み取った表示商品コードと一致するＰＬＵ商品コードを、ＰＬＵマスタ記憶部から検索する商品コード検索工程、
（４）表示する価格の切換指示を入力する切換指示入力工程、
（５）表示価格と、商品コード検索工程により検索したＰＬＵ商品コードと対応付けてＰＬＵマスタ記憶部に記憶されているＰＬＵ価格のうちいずれかの価格を表示し、更に、切換指示が入力された場合に、表示価格とＰＬＵ価格とを切り換えて表示する表示工程。
【請求項６】
ＰＬＵマスタ記憶部は、更に、ＰＬＵ価格と対応付けて、予め設定されている商品名であるＰＬＵ商品名を記憶し、
表示工程は、ＰＬＵ価格を表示する場合に、ＰＬＵ価格と対応付けてＰＬＵマスタ記憶部に記憶されているＰＬＵ商品名を併せて表示することを特徴とする請求項５記載のＰＯＳシステム管理方法。
【請求項７】
ＰＯＳシステム管理方法は、更に、表示工程により表示されている価格を用いることを決定する指示を入力する決定指示入力工程を有することを特徴とする請求項５記載のＰＯＳシステム管理方法。
【請求項８】
ＰＯＳシステム管理方法は、更に、表示価格とＰＬＵ価格のうち、決定指示入力工程により入力された指示により、用いることを決定した価格を売上データとして記憶する売上データ記憶工程を有することを特徴とする請求項７記載のＰＯＳシステム管理方法。
【請求項９】
商品を識別する表示商品コードと、商品の価格である表示価格とを、読み取り可能な形態で付属して記録している商品の売上を管理し、予め設定されている商品コードであるＰＬＵ商品コードと、予め設定されている価格であるＰＬＵ価格とを関連付けて、複数記憶するＰＬＵマスタ記憶部を有するＰＯＳシステムであるコンピュータに、以下の処理を実行させるためのプログラムを記録したコンピュータ読み取り可能な記録媒体
（１）商品に付属して記録されている表示商品コードを読み取る表示商品コード読み取り処理、
（２）商品に付属して記録されている表示価格を読み取る表示価格読み取り処理、
（３）読み取った表示商品コードと一致するＰＬＵ商品コードを、ＰＬＵマスタ記憶部から検索する商品コード検索処理、
（４）表示する価格の切換指示を入力する切換指示入力処理、
（５）表示価格と、商品コード検索処理により検索したＰＬＵ商品コードと対応付けてＰＬＵマスタ記憶部に記憶されているＰＬＵ価格のうちいずれかの価格を表示し、更に、切換指示が入力された場合に、表示価格とＰＬＵ価格とを切り換えて表示する表示処理。
【請求項１０】
ＰＬＵマスタ記憶部は、更に、ＰＬＵ価格と対応付けて、予め設定されている商品名であるＰＬＵ商品名を記憶し、
表示処理は、ＰＬＵ価格を表示する場合に、ＰＬＵ価格と対応付けてＰＬＵマスタ記憶部に記憶されているＰＬＵ商品名を併せて表示することを特徴とする請求項９記載のプログラムを記録したコンピュータ読み取り可能な記録媒体。
【請求項１１】
プログラムは、更に、表示処理により表示されている価格を用いることを決定する指示を入力する決定指示入力処理をコンピュータに実行させることを特徴とする請求項９記載のプログラムを記録したコンピュータ読み取り可能な記録媒体。
【請求項１２】
プログラムは、更に、表示価格とＰＬＵ価格のうち、決定指示入力処理により入力された指示により、用いることを決定した価格を売上データとして記憶する売上データ記憶処理をコンピュータに実行させることを特徴とする請求項１１記載のプログラムを記録したコンピュータ読み取り可能な記録媒体。
【発明の詳細な説明】
【０００１】
【発明の属する技術分野】
本発明は、商品を識別する表示商品コードと、商品の価格である表示価格が付されている商品の売上を管理するＰＯＳシステムに係り、簡単な操作で、適切に、商品に付された表示価格と、ＰＬＵに含まれるＰＬＵ価格とを使い分けるＰＯＳシステムに関する。
【０００２】
【従来の技術】
ＰＯＳシステムのおける価格の決定方法は、流通業者（ｅｘ．小売店）側で設定した価格を用いる場合と、供給業者（ｅｘ．出版社）側で設定した価格を用いる場合とでは、異なる。
【０００３】
流通業者側で設定した価格を用いる場合について説明する。
この場合のＰＯＳシステムは、予め設定されている商品コードであるＰＬＵ商品コードと、予め設定されている商品名であるＰＬＵ商品名と、予め設定されている価格であるＰＬＵ価格とを関連付けて、複数記憶するＰＬＵマスタ記憶部を有する。
ＰＯＳ端末の操作に伴い、商品に付属して記録されている表示商品コードを読み込むと、読み取った表示商品コードと一致するＰＬＵ商品コードを、ＰＬＵマスタ記憶部から検索し、一致したＰＬＵ商品コードと対応付けてＰＬＵマスタ記憶部に記憶されているＰＬＵ価格を用いて、表示や、売上の管理を行う。
尚、表示商品コードは、例えば、バーコードや磁気テープ等を商品の包装や下げ札に付する等の形態で記録されている。
【０００４】
一方、供給業者側で設定した価格を用いる場合について説明する。
この場合には、商品に付属して記録されている表示価格を用いることができる。表示価格は、例えば、表示商品コードと同様の形態で記録されている。
ＰＯＳ端末の操作に伴い、商品に付属して記録されている表示価格を読み込み、読み込んだ表示価格を用いて、表示や、売上の管理を行う。必要に応じて、表示商品コードも読み込み、表示や、売上の管理に用いる。
【０００５】
何れの価格を用いるかは、取引される具体的な商品の流通事情により異なるが、今日までは、いずれかの価格体系に依存していたので、その価格体系のみに対応した方法で足りていた。
【０００６】
しかし今後は、同種の商品であっても、供給業者側で設定した価格と、流通業者側で設定した価格とを使い分ける売上管理の態様が生れる可能性がある。
このような態様に対して、常にＰＬＵ価格を用いるＰＯＳシステムで対応すると、ときに操作者自身が表示価格を用いることを判断し、個別に表示価格を入力しなければならない。一方、常に表示価格を用いるＰＯＳシステムで対応する場合には、ときに操作者自身がＰＬＵ価格を用いることを判断し、ＰＬＵ価格を用いる指示をしなければならない。
【０００７】
このように、操作者自身が多くの商品毎にいずれの価格を用いるか正確に判断することは極めて困難と想像される。また、同じ商品であっても、時期によって用いる価格が異なる場合も考えられ、時期的な条件も考慮して人的に判断することは不可能に近いといえる。
【０００８】
また、例えば雑誌を扱う場合には、異なる年度の同月に発刊された雑誌は当然内容的に全く異なるが、商品コードが同じになり、商品コードから雑誌を特定しきれないという事情がある。このため、同じ商品コードを有する雑誌であっても、年度が異なれば価格も異なるが、機械的に判別するとミスが生じる恐れがある。
【０００９】
このように、読み取った商品コードから、価格を一義的に導けない場合があり、従来のＰＯＳシステムにおいては、誤った価格を用いて売上管理してしまう事態を回避できないという不具合を潜在的に有している。
【００１０】
【発明が解決しようとする課題】
本発明は、上記した従来技術の欠点を除くためになされたものであって、その目的とするところは、供給業者側で設定した価格と、流通業者側で設定した価格とを使い分ける商品を扱うＰＯＳシステムを想定し、簡単な操作で、適切に価格を使い分けるＰＯＳシステムを提供することを課題とする。
【００１１】
また、読み取った商品コードから商品を特定できない場合に、何れの商品として扱うかの判断を容易にするＰＯＳシステムを提供することを課題とする。
【００１２】
【課題を解決するための手段】
この発明に係るＰＯＳシステムは、商品を識別する表示商品コードと、商品の価格である表示価格とを、読み取り可能な形態で付属して記録している商品の売上を管理するＰＯＳシステムであって、以下の要素を有することを特徴とする。
（１）商品に付属して記録されている表示商品コードを読み取る表示商品コード読み取り部、
（２）商品に付属して記録されている表示価格を読み取る表示価格読み取り部、
（３）予め設定されている商品コードであるＰＬＵ商品コードと、予め設定されている価格であるＰＬＵ価格とを関連付けて、複数記憶するＰＬＵマスタ記憶部、
（４）読み取った表示商品コードと一致するＰＬＵ商品コードを、ＰＬＵマスタ記憶部から検索する商品コード検索部、
（５）一致するＰＬＵ商品コードがなかった場合に、表示価格を用いることを決定し、一致するＰＬＵ商品コードがあった場合に、一致したＰＬＵ商品コードと対応付けてＰＬＵマスタ記憶部に記憶されているＰＬＵ価格を用いることを決定する決定部。
【００１３】
また、ＰＯＳシステムは、更に、表示価格とＰＬＵ価格のうち、決定部により用いることを決定した価格を表示する表示部を有することを特徴とする。
【００１４】
また、ＰＯＳシステムは、更に、表示価格とＰＬＵ価格のうち、決定部により用いることを決定した価格を売上データとして記憶する売上データ記憶部を有することを特徴とする。
【００１５】
この発明に係るＰＯＳシステムは、商品を識別する表示商品コードと、商品の価格である表示価格とを、読み取り可能な形態で付属して記録している商品の売上を管理するＰＯＳシステムであって、以下の要素を有することを特徴とする。
（１）商品に付属して記録されている表示商品コードを読み取る表示商品コード読み取り部、
（２）商品に付属して記録されている表示価格を読み取る表示価格読み取り部、
（３）予め設定されている商品コードであるＰＬＵ商品コードと、予め設定されている価格であるＰＬＵ価格とを関連付けて、複数記憶するＰＬＵマスタ記憶部、
（４）読み取った表示商品コードと一致するＰＬＵ商品コードを、ＰＬＵマスタ記憶部から検索する商品コード検索部、
（５）表示する価格の切換指示を入力する切換指示入力部、
（６）表示価格と、商品コード検索部により検索したＰＬＵ商品コードと対応付けてＰＬＵマスタ記憶部に記憶されているＰＬＵ価格のうちいずれかの価格を表示し、更に、切換指示が入力された場合に、表示価格とＰＬＵ価格とを切り換えて表示する表示部。
【００１６】
また、ＰＬＵマスタ記憶部は、更に、ＰＬＵ価格と対応付けて、予め設定されている商品名であるＰＬＵ商品名を記憶し、
表示部は、ＰＬＵ価格を表示する場合に、ＰＬＵ価格と対応付けてＰＬＵマスタ記憶部に記憶されているＰＬＵ商品名を併せて表示することを特徴とする。
【００１７】
また、ＰＯＳシステムは、更に、表示部により表示されている価格を用いることを決定する指示を入力する決定指示入力部を有することを特徴とする。
【００１８】
また、ＰＯＳシステムは、更に、表示価格とＰＬＵ価格のうち、決定指示入力部により入力された指示により、用いることを決定した価格を売上データとして記憶する売上データ記憶部を有することを特徴とする。
【００１９】
この発明に係るＰＯＳシステムは、商品を識別する表示商品コードを、読み取り可能な形態で付属して記録している商品の売上を管理するＰＯＳシステムであって、以下の要素を有することを特徴とする。
（１）商品に付属して記録されている表示商品コードを読み取る表示商品コード読み取り部、
（２）予め設定されている商品コードであるＰＬＵ商品コードと、予め設定されている価格であるＰＬＵ価格とを関連付けて、複数記憶するＰＬＵマスタ記憶部、
（３）読み取った表示商品コードと一致するＰＬＵ商品コードを、ＰＬＵマスタ記憶部から検索する商品コード検索部、
（４）表示する価格の切換指示を入力する切換指示入力部、
（５）商品コード検索部により検索した結果、一致するＰＬＵ商品コードが複数あった場合に、それぞれのＰＬＵ商品コードと対応付けてＰＬＵマスタ記憶部に記憶されている複数のＰＬＵ価格のうちいずれかのＰＬＵ価格を表示し、更に、切換指示が入力された場合に、複数のＰＬＵ価格を切り換えて表示する表示部。
【００２０】
また、ＰＬＵマスタ記憶部は、更に、ＰＬＵ価格と対応付けて、予め設定されている商品名であるＰＬＵ商品名を記憶し、
表示部は、ＰＬＵ価格を表示する場合に、ＰＬＵ価格と対応付けてＰＬＵマスタ記憶部に記憶されているＰＬＵ商品名を併せて表示することを特徴とする。
【００２１】
また、ＰＯＳシステムは、更に、表示部により表示されているＰＬＵ価格を用いることを決定する指示を入力する決定指示入力部を有することを特徴とする。
【００２２】
この発明に係るＰＯＳシステムは、商品を識別する表示商品コードを、読み取り可能な形態で付属して記録している商品の売上を管理するＰＯＳシステムであって、以下の要素を有することを特徴とする。
（１）商品に付属して記録されている表示商品コードを読み取る表示商品コード読み取り部、
（２）予め設定されている商品コードであるＰＬＵ商品コードと、予め設定されている価格であるＰＬＵ価格とを関連付けて、複数記憶するＰＬＵマスタ記憶部、
（３）読み取った表示商品コードと一致するＰＬＵ商品コードを、ＰＬＵマスタ記憶部から検索する商品コード検索部、
（４）商品コード検索部により検索した結果、一致するＰＬＵ商品コードが複数あった場合に、それぞれのＰＬＵ商品コードと対応付けてＰＬＵマスタ記憶部に記憶されている複数のＰＬＵ価格を一覧表示する表示部。
【００２３】
また、ＰＬＵマスタ記憶部は、更に、ＰＬＵ価格と対応付けて、予め設定されている商品名であるＰＬＵ商品名を記憶し、
表示部は、複数のＰＬＵ価格を一覧表示する場合に、各ＰＬＵ価格と対応付けてＰＬＵマスタ記憶部に記憶されている複数のＰＬＵ商品名を併せて表示することを特徴とする。
【００２４】
また、ＰＯＳシステムは、更に、表示部により表示されている複数のＰＬＵ価格のうち、用いるＰＬＵ価格を決定する指示を入力する決定指示入力部を有することを特徴とする。
【００２５】
また、ＰＯＳシステムは、更に、複数のＰＬＵ価格のうち、決定指示入力部により入力された指示により、用いることを決定したＰＬＵ価格を売上データとして記憶する売上データ記憶部を有することを特徴とする。
【００２６】
この発明に係るＰＯＳシステム管理方法は、商品を識別する表示商品コードと、商品の価格である表示価格とを、読み取り可能な形態で付属して記録している商品の売上を管理し、予め設定されている商品コードであるＰＬＵ商品コードと、予め設定されている価格であるＰＬＵ価格とを関連付けて、複数記憶するＰＬＵマスタ記憶部を有するＰＯＳシステムの管理方法であって、以下の要素を有することを特徴とする。
（１）商品に付属して記録されている表示商品コードを読み取る表示商品コード読み取り工程、
（２）商品に付属して記録されている表示価格を読み取る表示価格読み取り工程、
（３）読み取った表示商品コードと一致するＰＬＵ商品コードを、ＰＬＵマスタ記憶部から検索する商品コード検索工程、
（４）一致するＰＬＵ商品コードがなかった場合に、表示価格を用いることを決定し、一致するＰＬＵ商品コードがあった場合に、一致したＰＬＵ商品コードと対応付けてＰＬＵマスタ記憶部に記憶されているＰＬＵ価格を用いることを決定する決定工程。
【００２７】
この発明に係るＰＯＳシステム管理方法は、商品を識別する表示商品コードと、商品の価格である表示価格とを、読み取り可能な形態で付属して記録している商品の売上を管理し、予め設定されている商品コードであるＰＬＵ商品コードと、予め設定されている価格であるＰＬＵ価格とを関連付けて、複数記憶するＰＬＵマスタ記憶部を有するＰＯＳシステムの管理方法であって、以下の要素を有することを特徴とする。
（１）商品に付属して記録されている表示商品コードを読み取る表示商品コード読み取り工程、
（２）商品に付属して記録されている表示価格を読み取る表示価格読み取り工程、
（３）読み取った表示商品コードと一致するＰＬＵ商品コードを、ＰＬＵマスタ記憶部から検索する商品コード検索工程、
（４）表示する価格の切換指示を入力する切換指示入力工程、
（５）表示価格と、商品コード検索工程により検索したＰＬＵ商品コードと対応付けてＰＬＵマスタ記憶部に記憶されているＰＬＵ価格のうちいずれかの価格を表示し、更に、切換指示が入力された場合に、表示価格とＰＬＵ価格とを切り換えて表示する表示工程。
【００２８】
この発明に係るＰＯＳシステム管理方法は、商品を識別する表示商品コードを、読み取り可能な形態で付属して記録している商品の売上を管理し、予め設定されている商品コードであるＰＬＵ商品コードと、予め設定されている価格であるＰＬＵ価格とを関連付けて、複数記憶するＰＬＵマスタ記憶部を有するＰＯＳシステムの管理方法であって、以下の要素を有することを特徴とする。
（１）商品に付属して記録されている表示商品コードを読み取る表示商品コード読み取り工程、
（２）読み取った表示商品コードと一致するＰＬＵ商品コードを、ＰＬＵマスタ記憶部から検索する商品コード検索工程、
（３）表示する価格の切換指示を入力する切換指示入力工程、
（４）商品コード検索工程により検索した結果、一致するＰＬＵ商品コードが複数あった場合に、それぞれのＰＬＵ商品コードと対応付けてＰＬＵマスタ記憶部に記憶されている複数のＰＬＵ価格のうちいずれかのＰＬＵ価格を表示し、更に、切換指示が入力された場合に、複数のＰＬＵ価格を切り換えて表示する表示工程。
【００２９】
この発明に係るＰＯＳシステム管理方法は、商品を識別する表示商品コードを、読み取り可能な形態で付属して記録している商品の売上を管理し、予め設定されている商品コードであるＰＬＵ商品コードと、予め設定されている価格であるＰＬＵ価格とを関連付けて、複数記憶するＰＬＵマスタ記憶部を有するＰＯＳシステムの管理方法であって、以下の要素を有することを特徴とする。
（１）商品に付属して記録されている表示商品コードを読み取る表示商品コード読み取り工程、
（２）読み取った表示商品コードと一致するＰＬＵ商品コードを、ＰＬＵマスタ記憶部から検索する商品コード検索工程、
（３）商品コード検索工程により検索した結果、一致するＰＬＵ商品コードが複数あった場合に、それぞれのＰＬＵ商品コードと対応付けてＰＬＵマスタ記憶部に記憶されている複数のＰＬＵ価格を一覧表示する表示工程。
【００３０】
この発明に係るプログラムを記録したコンピュータ読み取り可能な記録媒体は、商品を識別する表示商品コードと、商品の価格である表示価格とを、読み取り可能な形態で付属して記録している商品の売上を管理し、予め設定されている商品コードであるＰＬＵ商品コードと、予め設定されている価格であるＰＬＵ価格とを関連付けて、複数記憶するＰＬＵマスタ記憶部を有するＰＯＳシステムであるコンピュータに、以下の処理を実行させるためのプログラムを記録したコンピュータ読み取り可能な記録媒体であることを特徴とする。
（１）商品に付属して記録されている表示商品コードを読み取る表示商品コード読み取り処理、
（２）商品に付属して記録されている表示価格を読み取る表示価格読み取り処理、
（３）読み取った表示商品コードと一致するＰＬＵ商品コードを、ＰＬＵマスタ記憶部から検索する商品コード検索処理、
（４）一致するＰＬＵ商品コードがなかった場合に、表示価格を用いることを決定し、一致するＰＬＵ商品コードがあった場合に、一致したＰＬＵ商品コードと対応付けてＰＬＵマスタ記憶部に記憶されているＰＬＵ価格を用いることを決定する決定処理。
【００３１】
この発明に係るプログラムを記録したコンピュータ読み取り可能な記録媒体は、商品を識別する表示商品コードと、商品の価格である表示価格とを、読み取り可能な形態で付属して記録している商品の売上を管理し、予め設定されている商品コードであるＰＬＵ商品コードと、予め設定されている価格であるＰＬＵ価格とを関連付けて、複数記憶するＰＬＵマスタ記憶部を有するＰＯＳシステムであるコンピュータに、以下の処理を実行させるためのプログラムを記録したコンピュータ読み取り可能な記録媒体であることを特徴とする。
（１）商品に付属して記録されている表示商品コードを読み取る表示商品コード読み取り処理、
（２）商品に付属して記録されている表示価格を読み取る表示価格読み取り処理、
（３）読み取った表示商品コードと一致するＰＬＵ商品コードを、ＰＬＵマスタ記憶部から検索する商品コード検索処理、
（４）表示する価格の切換指示を入力する切換指示入力処理、
（５）表示価格と、商品コード検索処理により検索したＰＬＵ商品コードと対応付けてＰＬＵマスタ記憶部に記憶されているＰＬＵ価格のうちいずれかの価格を表示し、更に、切換指示が入力された場合に、表示価格とＰＬＵ価格とを切り換えて表示する表示処理。
【００３２】
この発明に係るプログラムを記録したコンピュータ読み取り可能な記録媒体は、商品を識別する表示商品コードを、読み取り可能な形態で付属して記録している商品の売上を管理し、予め設定されている商品コードであるＰＬＵ商品コードと、予め設定されている価格であるＰＬＵ価格とを関連付けて、複数記憶するＰＬＵマスタ記憶部を有するＰＯＳシステムであるコンピュータに、以下の処理を実行させるためのプログラムを記録したコンピュータ読み取り可能な記録媒体であることを特徴とする。
（１）商品に付属して記録されている表示商品コードを読み取る表示商品コード読み取り処理、
（２）読み取った表示商品コードと一致するＰＬＵ商品コードを、ＰＬＵマスタ記憶部から検索する商品コード検索処理、
（３）表示する価格の切換指示を入力する切換指示入力処理、
（４）商品コード検索処理により検索した結果、一致するＰＬＵ商品コードが複数あった場合に、それぞれのＰＬＵ商品コードと対応付けてＰＬＵマスタ記憶部に記憶されている複数のＰＬＵ価格のうちいずれかのＰＬＵ価格を表示し、更に、切換指示が入力された場合に、複数のＰＬＵ価格を切り換えて表示する表示処理。
【００３３】
この発明に係るプログラムを記録したコンピュータ読み取り可能な記録媒体は、商品を識別する表示商品コードを、読み取り可能な形態で付属して記録している商品の売上を管理し、予め設定されている商品コードであるＰＬＵ商品コードと、予め設定されている価格であるＰＬＵ価格とを関連付けて、複数記憶するＰＬＵマスタ記憶部を有するＰＯＳシステムであるコンピュータに、以下の処理を実行させるためのプログラムを記録したコンピュータ読み取り可能な記録媒体であることを特徴とする。
（１）商品に付属して記録されている表示商品コードを読み取る表示商品コード読み取り処理、
（２）読み取った表示商品コードと一致するＰＬＵ商品コードを、ＰＬＵマスタ記憶部から検索する商品コード検索処理、
（３）商品コード検索処理により検索した結果、一致するＰＬＵ商品コードが複数あった場合に、それぞれのＰＬＵ商品コードと対応付けてＰＬＵマスタ記憶部に記憶されている複数のＰＬＵ価格を一覧表示する表示処理。
【００３４】
【発明の実施の形態】
実施の形態１．
以下本発明を図面に示す実施例に基づいて説明する。
図１は、本発明におけるＰＯＳシステムの装置構成の例を示す図である。
１は、本部サーバ、２は、ＰＯＳサーバ、３と４は、ＰＯＳ端末である。
【００３５】
本部サーバ１は、各店舗に設置されたＰＯＳサーバ２へＰＬＵマスタを配信し、ＰＯＳサーバ２は、本部サーバ１へ売上データを送るように構成されている。
【００３６】
ＰＯＳ端末３、４は、バーコードリーダやキー群等の入力手段と、表示部や印刷部等の出力手段を備えている。また、ＰＬＵマスタの検索要求や売上データを送信し、ＰＬＵマスタの検索結果を受信する通信部を備えている。
【００３７】
図２は、実施の形態１におけるＰＯＳシステムのモジュール構成の例を示す図である。
１１は、表示商品コード読み取り部、１２は、表示価格読み取り部、１３は、商品コード検索部、１４は、ＰＬＵマスタ記憶部、１５は、決定部、１６は、商品名入力部、１７は、表示部、１８は、売上データ記憶部、１９は、印刷部である。
【００３８】
この例では、これらのうち、商品コード検索部１３とＰＬＵマスタ記憶部１４がＰＯＳサーバ２に備えられ、他のモジュールは、ＰＯＳ端末３、４に備えられている。但し、このような実装の形態に限らず、各モジュールは、ＰＯＳシステムの何れの装置に備えられていても構わない。たとえば、商品コード検索部１３をＰＯＳ端末３、４で備えるようにしてもよい。
【００３９】
図３は、商品に付属して表示商品コードと表示価格を記録している態様の例を示す図である。この例では、商品は書籍である。５は、表示商品コードを含むバーコード、６は、表示価格を含むバーコードである。
このように、書籍の場合には、背表紙や、カバーにバーコードの形式で印刷されている。但し、バーコードに限らず、読み取り可能な数字や、磁気テープ等で記録されていても有効である。また、記録する対象は、商品そのもの、商品の包装、あるいは、下げ札やタグのようなものでもよい。
【００４０】
図４は、ＰＬＵマスタ記憶部のフォーマットの例を示す図である。
１レコードは、商品毎に設けられている。各レコードには、ＰＬＵ商品コード、ＰＬＵ商品名、ＰＬＵ価格の項目が設けられている。
【００４１】
以下動作について説明する。
図５は、実施の形態１におけるＰＯＳシステムの動作フローの例を示す図である。
【００４２】
表示商品コード読み取り部１１は、バーコードリーダから表示商品コードを含むバーコードを読み、表示商品コードを取得する（Ｓ５０１）。また、表示価格読み取り部１２は、同じく表示価格を含むバーコードを読み、表示価格を取得する（Ｓ５０２）。但し、Ｓ５０２の処理は、必ずしもこの時点で行われる必要はなく、Ｓ５０６に至る時までに行われていれば足りる。
【００４３】
次に、決定部１５は、表示商品コードを含む検索要求を商品コード検索部１３に送り、商品コード検索部１３は、表示商品コードと一致するＰＬＵ商品コードをＰＬＵマスタ記憶部１４から検索する（Ｓ５０３）。
【００４４】
検索の結果、一致するＰＬＵ商品コードがない場合には（Ｓ５０４）、決定部１５は、表示商品コードと表示価格を用いることを決定する。商品名入力部１６は、商品名（あるいは商品分類）を入力し（Ｓ５０５）、表示部１７は、入力した商品名（あるいは商品分類）と表示価格を表示する（Ｓ５０６）。また、売上データ記憶部１８は、表示商品コードと入力した商品名（あるいは商品分類）と表示価格を記憶する（Ｓ５０７）。
【００４５】
他方、検索の結果、一致するＰＬＵ商品コードがある場合には（Ｓ５０４）、決定部１５は、ＰＬＵ商品コードとＰＬＵ商品名とＰＬＵ価格を用いることを決定する。表示部１７は、一致したＰＬＵ商品コードに対応するＰＬＵ商品名とＰＬＵ価格を表示し（Ｓ５０８）、売上データ記憶部１８は、ＰＬＵ商品コードとＰＬＵ商品名とＰＬＵ価格を記憶する（Ｓ５０９）。
【００４６】
売上データ記憶部１８に記憶された売上データは、合算され、代金の清算に用いられる。このとき、レシートや領収書として印刷されることもある。更に、通信手段によりＰＯＳサーバ２に送信され、売上実績として集計される。
【００４７】
以上のように本実施の形態では、表示商品コードと一致するＰＬＵ商品コードがなかった場合に、表示価格を用いることを決定し、ＰＬＵ商品コードがあった場合に、対応するＰＬＵ価格を用いることを決定する。
従って、出版社などの供給業者側で設定した価格と、書籍店などの流通業者側で設定した価格とを使い分ける売上管理において、操作者自身が何れの価格を用いるか指示する必要が無く、常に正しい価格を用いることができる。
【００４８】
また、自由価格の書籍のように、時期によって価格が変る場合にも、ＰＬＵマスタを変更すれば、自動的に対応できるので、時期的な条件を判断する必要がなくなる。
【００４９】
実施の形態２．
図６は、実施の形態２におけるＰＯＳシステムのモジュール構成の例を示す図である。表示商品コード読み取り部１１から印刷部１９までのモジュールの構成は、実施の形態１と同じである。但し、一部動作が異なる。また、２０は、指示入力部である。
【００５０】
以下動作について説明する。
図７は、実施の形態２におけるＰＯＳシステムの動作フローの例を示す図である。Ｓ５０４までの動作は、実施の形態１と同じである。また、Ｓ５０５以降の動作も実施の形態１と同じである。
【００５１】
Ｓ５０４で一致するＰＬＵ商品コードがある場合には、表示部１７は、一致したＰＬＵ商品コードに対応するＰＬＵ商品名とＰＬＵ価格を表示する（Ｓ７０１）。但し、この時点で何れの商品コードと価格を用いるかは決定されていない。
【００５２】
ここで、価格表示を切換える切換指示、あるいは価格を決定する決定指示の入力を促す。
【００５３】
指示入力部２０により、決定指示が入力された場合には（Ｓ７０２）、売上データ記憶部１８は、ＰＬＵ商品コードとＰＬＵ商品名とＰＬＵ価格を記憶する（Ｓ７０３）。
【００５４】
他方、指示入力部２０により、切換指示が入力された場合には（Ｓ７０２）、表示部１７は、表示価格を表示する（Ｓ７０４）。ここで、再び切換指示、あるいは決定指示の入力を促す（Ｓ７０５）。
【００５５】
指示入力部２０により、決定指示が入力された場合には（Ｓ７０５）、商品名入力部１６は、商品名（あるいは商品分類）を入力し（Ｓ７０６）、表示部１７は、入力した商品名（あるいは商品分類）を表示する（Ｓ７０７）。また、売上データ記憶部１８は、表示商品コードと入力した商品名（あるいは商品分類）と表示価格を記憶する（Ｓ７０８）。
【００５６】
他方、指示入力部２０により、切換指示が入力された場合には（Ｓ７０５）、Ｓ７０１に戻り、Ｓ７０２あるいはＳ７０５で、決定指示が入力されるまで表示の切換を繰り返す。
【００５７】
この例では、Ｓ５０４からＳ７０１に移行したが、先にＳ７０４に移行してもよい。また、ＰＬＵ価格と表示価格を区別する情報を表示することも有効である。
【００５８】
以上のように、切換指示が入力された場合に、表示価格とＰＬＵ価格とを切り換えて表示するので、何れの価格を用いるか操作者が確認できる。特に、不適切なＰＬＵ価格が設定されている場合には、有効である。例えば、ＰＬＵマスタの入力をミスした場合には、不適切なＰＬＵ価格が設定されている事態が起り得る。更に、ＰＬＵ商品コードが同一である複数の異なる商品が存在する場合には、ＰＬＵ価格の誤用も考えられる。本実施の形態は、このような誤用の防止にも役立つ。
【００５９】
実施の形態３．
図８は、実施の形態３におけるＰＯＳシステムのモジュール構成の例を示す図である。表示商品コード読み取り部１１から指示入力部２０までのモジュールの構成は、実施の形態２と同じである。但し、一部動作が異なる。
【００６０】
本実施の形態のおけるＰＬＵマスタ記憶部１４は、各レコードの項目として付随情報が付加されている。付随情報は、商品の識別に役立つ情報である。例えば書籍の場合は、版、発行日、記事タイトル等のほか、表紙の色や大きさ等の外観に関する情報も有効である。
【００６１】
以下動作について説明する。
図９は、実施の形態３におけるＰＯＳシステムの動作フローの例を示す図である。Ｓ５０４までの動作は、実施の形態１と同じである。また、Ｓ５０５以降の動作も実施の形態１と同じである。
【００６２】
Ｓ５０４で一致するＰＬＵ商品コードがある場合には、決定部１５は一致するＰＬＵ商品コードが複数有るか否かを判断する（Ｓ９０１）。
【００６３】
一致するＰＬＵ商品コードが一つの場合には、一致したＰＬＵ商品コードに対応するＰＬＵ商品名とＰＬＵ価格を表示し（Ｓ９０２）、売上データ記憶部１８は、ＰＬＵ商品コードとＰＬＵ商品名とＰＬＵ価格を記憶する（Ｓ９０３）。
【００６４】
他方、一致するＰＬＵ商品コードが複数ある場合には、表示部１７は、一致するＰＬＵ商品コードの件数を表示して警告する（Ｓ９０４）。このとき、件数の他に、表示価格を表示し、あるいは複数あるうちのいずれかのＰＬＵ価格を表示してもよい。
【００６５】
ここで、価格表示を切換える切換指示、価格を一覧で表示する一覧指示、あるいは価格を決定する決定指示の入力を促す。
【００６６】
指示入力部２０により、切換指示が入力された場合には（Ｓ９０５）、その度に、次の一致するＰＬＵ商品コードに対応するＰＬＵ商品名とＰＬＵ価格を切り換えて表示する（Ｓ９０９）。このとき、自動的に連続してＰＬＵ商品名とＰＬＵ価格が切り換わるようにすることも有効である。また、このとき付随情報も併せて表示することが有効である。
【００６７】
他方、指示入力部２０により、一覧指示が入力された場合には（Ｓ９０６）、一致するＰＬＵ商品コードに対応するＰＬＵ商品名とＰＬＵ価格を一覧として表示する（Ｓ９１０）。また、このとき付随情報も併せて表示することが有効である。
【００６８】
このように表示を切り換えることにより、何れの商品であるかの判別を促し、指示入力部２０により、決定指示が入力された場合には（Ｓ９０７）、売上データ記憶部１８は、決定に従い、ＰＬＵ商品コードとＰＬＵ商品名とＰＬＵ価格を記憶する（Ｓ９０８）。
【００６９】
具体的には、Ｓ９０９の表示が継続している状態で、Ｓ９０７で決定指示が入力された場合には、決定部１５により、表示中のＰＬＵ商品名とＰＬＵ価格、さらにこれらに対応するＰＬＵ商品コードが用いられることが決定される。
Ｓ９０９の表示が継続している状態では、指示入力部２０により一覧中の何れのＰＬＵ商品名とＰＬＵ価格を用いるかを指示させ、決定部１５により、指示されたＰＬＵ商品名とＰＬＵ価格、さらにこれらに対応するＰＬＵ商品コードが用いられることが決定される。
【００７０】
この例の他に、Ｓ９０１で、一致するＰＬＵ商品コードが一つと判断した場合に、図７のＳ７０１以降の処理を行うようにすることも有効である。
【００７１】
また、Ｓ９０５において、表示価格も含めて、表示を切り換えることも有効である。更に、Ｓ９０６において、表示価格も含めて、一覧表示することも有効である。
【００７２】
読み取った商品コードと一致するＰＬＵ商品コードが複数存在し、価格を一義的に導けない場合に、複数のＰＬＵ価格を切り換えて表示し、あるいは一覧表示するので、何れの価格を用いるか操作者が確認できる。特に、例えば、ＰＬＵ商品コードを重複して入力した場合や、更新の際に古いＰＬＵ商品コードを消去し忘れた場合や、ＰＬＵ商品コードが同一である複数の異なる商品が存在する場合には、同一のＰＬＵ商品コードが複数設定されている事態が起り得る。
【００７３】
また、商品名や付随情報を併せて表示するので、商品の識別が容易になる。
【００７４】
実施の形態４．
実施の形態１においては、表示商品コードと一致するＰＬＵ商品コードが有るか否かにより、何れの価格を用いるか決定したが、予めＰＬＵマスタの各レコード毎に何れの価格を用いるかの指示を記憶し、その指示に従って用いる価格を決定する方法も有効である。
【００７５】
【発明の効果】
出版社などの供給業者側で設定した価格と、書籍店などの流通業者側で設定した価格とを使い分ける売上管理において、操作者自身が何れの価格を用いるかを指示する必要が無く、常に正しい価格を用いることができる。
特に、決定部は、一致するＰＬＵ商品コードがなかった場合には、表示価格を用いることを決定するので、表示価格を用いる商品については、ＰＬＵマスタ記憶部に何等情報を加える必要がなく、構成及び情報管理操作が単純である。
【００７６】
また、自由価格の書籍のように、時期によって価格が変る場合にも、ＰＬＵマスタを変更すれば、自動的に対応できるので、時期的な条件を判断する必要がなくなる。
【００７７】
切換指示が入力された場合に、表示価格とＰＬＵ価格とを切り換えて表示するので、何れの価格を用いるか操作者が確認できる。特に、不適切なＰＬＵ価格が設定されている場合には、有効である。
【００７８】
読み取った商品コードと一致するＰＬＵ商品コードが複数存在し、価格を一義的に導けない場合に、複数のＰＬＵ価格を切り換えて表示し、あるいは一覧表示するので、何れの価格を用いるか操作者が確認できる。
【００７９】
また、商品名や付随情報を併せて表示するので、商品の識別が容易になる。
【図面の簡単な説明】
【図１】本発明におけるＰＯＳシステムの装置構成の例を示す図である。
【図２】実施の形態１におけるＰＯＳシステムのモジュール構成の例を示す図である。
【図３】商品に付属して表示商品コードと表示価格を記録している例を示す図である。
【図４】ＰＬＵマスタ記憶部のフォーマットの例を示す図である。
【図５】実施の形態１におけるＰＯＳシステムの動作フローの例を示す図である。
【図６】実施の形態１におけるＰＯＳシステムのモジュール構成の例を示す図である。
【図７】実施の形態１におけるＰＯＳシステムの動作フローの例を示す図である。
【図８】実施の形態１におけるＰＯＳシステムのモジュール構成の例を示す図である。
【図９】実施の形態１におけるＰＯＳシステムの動作フローの例を示す図である。
【符号の説明】
１  本部サーバ、２  ＰＯＳサーバ、３  ＰＯＳ端末、４  ＰＯＳ端末、５  表示商品コードを含むバーコード、６  表示価格を含むバーコード、１１  表示商品コード読み取り部、１２  表示価格読み取り部、１３  商品コード検索部、１４  ＰＬＵマスタ記憶部、１５  決定部、１６  商品名入力部、１７  表示部、１８  売上データ記憶部、１９  印刷部、２０  指示入力部。
【図１】
0003612266.tif 000002
【図２】
0003612266.tif 000003
【図３】
0003612266.tif 000004
【図４】
0003612266.tif 000005
【図５】
0003612266.tif 000006
【図６】
0003612266.tif 000007
【図７】
0003612266.tif 000008
【図８】
0003612266.tif 000009
【図９】
0003612266.tif 000010